(57)【要約】【課題】  簡単な構成で、無線通信による制御を可能とする表示システムおよび表示システムの制御方法を提供する。【解決手段】  表示装置２は、直列に接続された複数の表示装置のうち、自装置が上流側に接続されているか否かを判断し、自装置が上流側に接続されていると判断されたときは、リモートコントローラ２０との無線通信を有効とし、自装置が上流側に接続されていないと判断されたときは、リモートコントローラ２０との無線通信を無効とする。【選択図】      図２
2011247917.tif 000002
【特許請求の範囲】
【請求項１】
直列に有線通信可能に接続された複数の表示装置と、無線通信によって表示装置に対して命令情報を入力する遠隔制御装置とを有する表示システムであって、
前記表示装置は、
画像を表示する表示手段と、
他の表示装置と有線通信を行う有線通信手段と、
前記遠隔表示装置と無線通信を行う無線通信手段と、
直列に接続された複数の表示装置のうち、自装置が上流側に接続されているか否かを判断する接続判断手段と、
前記接続判断手段によって自装置が上流側に接続されていると判断されたときは、前記無線通信手段の動作を有効とし、自装置が上流側に接続されていないと判断されたときは、前記無線通信手段の動作を無効とする制御手段とを備えることを特徴とする表示システム。
【請求項２】
表示装置同士が有線通信するための通信ケーブルをさらに含み、
前記有線通信手段は、前記通信ケーブルと接続するコネクタであって、前記通信ケーブルから電気信号を入力するための入力コネクタと、前記通信ケーブルと接続するコネクタであって、電気信号を前記通信ケーブルに出力するための出力コネクタと、を有し、
前記接続判断手段は、前記通信ケーブルが、自装置の前記入力コネクタと他の表示装置の出力コネクタとに接続されているか否かを検出する検出手段を含み、前記通信ケーブルが、自装置の前記入力コネクタと他の表示装置の出力コネクタとに接続されていることが検出されないときは、自装置が上流側に接続されていると判断し、前記通信ケーブルが、自装置の前記入力コネクタと他の表示装置の出力コネクタとに接続されていることが検出されたときは、自装置が上流側に接続されていないと判断することを特徴とする請求項１記載の表示システム。
【請求項３】
前記表示装置は、前記遠隔制御装置から無線通信によって入力された命令情報の対象が自装置であるか否かを判断する対象判断手段をさらに含み、
上流側に接続されている表示装置の前記制御手段は、前記対象判断手段によって入力された命令情報の対象が自装置でないと判断されたときは、下流側に有線接続されている他の表示装置に対して、前記有線通信手段を動作させて前記命令情報を転送することを特徴とする請求項２記載の表示システム。
【請求項４】
前記命令情報は、対象となる表示装置を示す識別情報を含み、
前記表示装置は、自装置の前記識別情報を生成するとともに、下流側の表示装置に対して、自装置の識別情報を生成するよう命令する命令情報を、前記有線通信手段を動作させて送信することを特徴とする請求項３記載の表示システム。
【請求項５】
前記通信ケーブルは、ＲＳ−２３２Ｃ規格に準拠したケーブルであることを特徴とする請求項２〜４のいずれか１つに記載の表示システム。
【請求項６】
前記命令情報は、前記表示手段が表示する画像の画質を調整するための画質調整命令を含むことを特徴とする請求項１〜５のいずれか１つに記載の表示システム。
【請求項７】
直列に有線通信可能に接続された複数の表示装置と、無線通信によって表示装置に対して命令情報を入力する遠隔制御装置とを有する表示システムを制御するための制御方法であって、
前記表示装置は、直列に接続された複数の表示装置のうち、自装置が上流側に接続されているか否かを判断する判断ステップと、
自装置が上流側に接続されていると判断されたときは、前記遠隔制御装置との無線通信を有効とし、自装置が上流側に接続されていないと判断されたときは、前記遠隔制御装置との無線通信を無効とする通信制御ステップとを有することを特徴とする表示システムの制御方法。
【発明の詳細な説明】
【技術分野】
【０００１】
本発明は、複数の表示装置が直列接続された表示システムおよび表示システムの制御方法に関する。
【背景技術】
【０００２】
マルチディスプレイシステムは、複数の表示装置を一列状、マトリクス状などに配置し、１つの画像を分割して表示したり、それぞれの表示装置に表示される画像を連動させたりすることで様々な表示態様に適用可能とする表示システムである。
【０００３】
複数の表示装置を接続する接続方式には、中心となる装置に他の装置が接続し、中心となる装置が他の装置を一括で制御するいわゆるスター接続方式、複数の装置が直列接続し、最上流の装置から下流の装置へと順次制御コマンドを出力するいわゆるデイジーチェーン接続方式などがある。
【０００４】
このような表示システムにおいて、たとえば、各表示装置の画質調整などを行う場合、中心となる装置または最上流の装置に対して調整用のコマンドを入力し、調整の対象となる表示装置の画質調整を行う。
【０００５】
調整用コマンドの入力は、中心となる装置または最上流の装置に有線接続した入力装置から入力してもよいが、赤外線などを利用した無線通信によって入力する遠隔制御用のコマンド入力装置、いわゆるリモートコントローラを用いるほうが、使い勝手がよい。
【０００６】
表示システムは、同じ仕様の表示装置を複数使用するので、リモートコントローラでコマンド入力しようとした場合、コマンドの制御対象となる表示装置のみにコマンド入力することが困難である。リモートコントローラから出射される赤外線は、所定の角度で広がりながら空気中を伝播するので、表示装置の赤外線受光部が近い距離に複数存在すると、出射される赤外線は、複数の受光部で受光され、複数の表示装置に同じコマンドが入力されてしまう。
【０００７】
さらに、表示装置の数が増えると、全体の状態に合わせて個々の表示装置を調整する必要があり、全体を見渡すためには、表示装置から離れて全体を確認しながら調整する必要がある。しかし、表示装置から離れると、赤外線の有効範囲が広がり、さらに多くの表示装置に同じコマンドが入力されてしまう。
【０００８】
特許文献１には、画面単位にパネルＩＤを有し、ディスプレイの画面調整を行うスレーブ制御部と全体を制御するマスタ制御部を含む構成が開示されている。特許文献２には、各々のディスプレイ固有の識別番号を設定可能なディスプレイＩＤ設定することで、外部からの操作により特定のディスプレイを調整する構成が開示されている。特許文献３には、ＩＤ番号に基づいて、リモートコントローラからの指令で、調整用詳細情報画面を一斉に表示させる構成、リモートコントローラのキー操作により、ＩＤ番号に対応する特定のディスプレイ装置のみに画面調整メニューを表示させる構成が開示されている。
【先行技術文献】
【特許文献】
【０００９】
【特許文献１】特開２００１−２７５１３７号公報
【特許文献２】特開２００４−２１９８６９号公報
【特許文献３】特開２００６−２５４２７５号公報
【発明の概要】
【発明が解決しようとする課題】
【００１０】
特許文献１記載の発明は、スレーブはマスタに必ず接続する必要があり、マルチディスプレイの構成を変更した場合、追加でマスタ制御部とスレーブ制御部とを接続する必要があるので、構成を変更するためにハードウェアとソフトウェアの両方を変更する必要があり、マスタ制御部の変更が必須となるので、構成の変更が困難である。
【００１１】
特許文献２記載の発明は、全てのディスプレイを同じ様に設定する場合は、マルチディスプレイを構成するディスプレイの数だけ設定を行う必要がある。
【００１２】
特許文献３記載の発明は、調整の対象となるディスプレイにメニューを表示させることになり、調整しにくい等の問題が生じる。
【００１３】
このように、表示システムは、無線通信による制御が困難であり、制御するための構成も複雑なものとなっている。
【００１４】
本発明の目的は、簡単な構成で、無線通信による制御を可能とする表示システムおよび表示システムの制御方法を提供することである。
【課題を解決するための手段】
【００１５】
本発明は、直列に有線通信可能に接続された複数の表示装置と、無線通信によって表示装置に対して命令情報を入力する遠隔制御装置とを有する表示システムであって、
前記表示装置は、
画像を表示する表示手段と、
他の表示装置と有線通信を行う有線通信手段と、
前記遠隔表示装置と無線通信を行う無線通信手段と、
直列に接続された複数の表示装置のうち、自装置が上流側に接続されているか否かを判断する接続判断手段と、
前記接続判断手段によって自装置が上流側に接続されていると判断されたときは、前記無線通信手段の動作を有効とし、自装置が上流側に接続されていないと判断されたときは、前記無線通信手段の動作を無効とする制御手段とを備えることを特徴とする表示システムである。
【００１６】
また本発明は、表示装置同士が有線通信するための通信ケーブルをさらに含み、
前記有線通信手段は、前記通信ケーブルと接続するコネクタであって、前記通信ケーブルから電気信号を入力するための入力コネクタと、前記通信ケーブルと接続するコネクタであって、電気信号を前記通信ケーブルに出力するための出力コネクタと、を有し、
前記接続判断手段は、前記通信ケーブルが、自装置の前記入力コネクタと他の表示装置の出力コネクタとに接続されているか否かを検出する検出手段を含み、前記通信ケーブルが、自装置の前記入力コネクタと他の表示装置の出力コネクタとに接続されていることが検出されないときは、自装置が上流側に接続されていると判断し、前記通信ケーブルが、自装置の前記入力コネクタと他の表示装置の出力コネクタとに接続されていることが検出されたときは、自装置が上流側に接続されていないと判断することを特徴とする。
【００１７】
また本発明は、前記表示装置は、前記遠隔制御装置から無線通信によって入力された命令情報の対象が自装置であるか否かを判断する対象判断手段をさらに含み、
上流側に接続されている表示装置の前記制御手段は、前記対象判断手段によって入力された命令情報の対象が自装置でないと判断されたときは、下流側に有線接続されている他の表示装置に対して、前記有線通信手段を動作させて前記命令情報を転送することを特徴とする。
【００１８】
また本発明は、前記命令情報は、対象となる表示装置を示す識別情報を含み、
前記表示装置は、自装置の前記識別情報を生成するとともに、下流側の表示装置に対して、自装置の識別情報を生成するよう命令する命令情報を、前記有線通信手段を動作させて送信することを特徴とする。
【００１９】
また本発明は、前記通信ケーブルは、ＲＳ−２３２Ｃ規格に準拠したケーブルであることを特徴とする。
【００２０】
また本発明は、前記命令情報は、前記表示手段が表示する画像の画質を調整するための画質調整命令を含むことを特徴とする。
【００２１】
また本発明は、直列に有線通信可能に接続された複数の表示装置と、無線通信によって表示装置に対して命令情報を入力する遠隔制御装置とを有する表示システムを制御するための制御方法であって、
前記表示装置は、直列に接続された複数の表示装置のうち、自装置が上流側に接続されているか否かを判断する判断ステップと、
自装置が上流側に接続されていると判断されたときは、前記遠隔制御装置との無線通信を有効とし、自装置が上流側に接続されていないと判断されたときは、前記遠隔制御装置との無線通信を無効とする通信制御ステップとを有することを特徴とする表示システムの制御方法である。
【発明の効果】
【００２２】
本発明によれば、直列に有線通信可能に接続された複数の表示装置と、無線通信によって表示装置に対して命令情報を入力する遠隔制御装置とを有する表示システムである。
【００２３】
接続判断手段は、直列に接続された複数の表示装置のうち、自装置が上流側に接続されているか否かを判断する。
【００２４】
制御手段は、前記接続判断手段の判断結果に基づき、自装置が上流側に接続されていると判断されたときは、前記無線通信手段の動作を有効とし、自装置が上流側に接続されていないと判断されたときは、前記無線通信手段の動作を無効とする。
【００２５】
これにより、上流側に接続されている表示装置のみが、遠隔表示装置からの命令情報を入力可能に構成されているので、表示システムを構成する下流側の他の表示装置に命令情報が入力されず、簡単な構成で、無線通信による表示システムの制御が可能となる。
【００２６】
また本発明によれば、前記有線通信手段は、前記通信ケーブルと接続するコネクタであって、前記通信ケーブルから電気信号を入力するための入力コネクタと、前記通信ケーブルと接続するコネクタであって、電気信号を前記通信ケーブルに出力するための出力コネクタと、を有し、前記接続判断手段は、前記通信ケーブルが、自装置の前記入力コネクタと他の表示装置の出力コネクタとに接続されているか否かを検出する検出手段を含み、前記通信ケーブルが、自装置の前記入力コネクタと他の表示装置の出力コネクタとに接続されていることが検出されないときは、自装置が上流側に接続されていると判断し、前記通信ケーブルが、自装置の前記入力コネクタと他の表示装置の出力コネクタとに接続されていることが検出されたときは、自装置が上流側に接続されていないと判断する。
【００２７】
これにより、コネクタとの接続に基づいて自装置が上流側に接続されているかどうかを判断することができる。
【００２８】
また本発明によれば、対象判断手段が、前記遠隔制御装置から無線通信によって入力された命令情報の対象が自装置であるか否かを判断し、上流側に接続されている表示装置の前記制御手段が、前記対象判断手段の判断結果に基づき、入力された命令情報の対象が自装置でないと判断したときは、下流側に有線接続されている他の表示装置に対して、前記有線通信手段を動作させて前記命令情報を転送する。
【００２９】
これにより、上流側に接続された表示装置に入力された命令情報を、有線通信によって、下流側の対象の表示装置に入力することができる。
【００３０】
また本発明によれば、自装置の前記識別情報を生成するとともに、下流側の表示装置に対して、自装置の識別情報を生成するよう命令する命令情報を、前記有線通信手段を動作させて送信する。
これにより、識別情報を各表示装置で自動生成することができる。
【００３１】
また本発明によれば、前記通信ケーブルとして、ＲＳ−２３２Ｃ規格に準拠したケーブルを使用することができる。
【００３２】
また本発明によれば、前記命令情報は、前記表示手段が表示する画像の画質を調整するための画質調整命令を含むので、表示システムにおいて、遠隔制御装置により各表示装置の画質調整を行うことができる。
【００３３】
また本発明によれば、直列に有線通信可能に接続された複数の表示装置と、無線通信によって表示装置に対して命令情報を入力する遠隔制御装置とを有する表示システムを制御するための制御方法である。
【００３４】
前判断ステップでは、前記表示装置は、直列に接続された複数の表示装置のうち、自装置が上流側に接続されているか否かを判断し、通信制御ステップでは、自装置が上流側に接続されていると判断されたときは、前記遠隔制御装置との無線通信を有効とし、自装置が上流側に接続されていないと判断されたときは、前記遠隔制御装置との無線通信を無効とする。
【００３５】
これにより、上流側に接続されている表示装置のみが、遠隔表示装置からの命令情報を入力可能に構成されているので、表示システムを構成する下流側の他の表示装置に命令情報が入力されず、簡単な構成で、無線通信による表示システムの制御が可能となる。
【図面の簡単な説明】
【００３６】
【図１】表示システム１の構成を示す概略図である。
【図２】表示装置２の構成を示すブロック図である。
【図３】入力コネクタ１０および出力コネクタ１２の端子構成を示す図である。
【図４】リモートコントローラ２０の外観図である。
【図５】リモートコントローラ２０からの入力を無効とするための回路構成を示す図である。
【図６】リモートコントローラ２０からの入力を無効とするための判断処理を示すフローチャートである。
【図７Ａ】最上流の表示装置２の画質調整処理を示すフローチャートである。
【図７Ｂ】最上流の表示装置２の画質調整処理を示すフローチャートである。
【図７Ｃ】最上流の表示装置２の画質調整処理を示すフローチャートである。
【図８Ａ】下流側の表示装置３，４，５の画質調整処理を示すフローチャートである。
【図８Ｂ】下流側の表示装置３，４，５の画質調整処理を示すフローチャートである。
【図８Ｃ】下流側の表示装置３，４，５の画質調整処理を示すフローチャートである。
【発明を実施するための形態】
【００３７】
本発明の表示システムは、複数の表示装置が直列接続、いわゆるデイジーチェーン接続され、予め定める命令情報が、最上流に接続されている表示装置から下流側に接続されている表示装置へと出力され、命令情報が上流側の表示装置から入力された表示装置は、さらに下流側の表示装置へ命令情報を出力する。
【００３８】
表示装置間は、有線接続されており、たとえばＲＳ−２３２Ｃ規格のケーブル（以下では「ＲＳ−２３２Ｃケーブル」または単に「ケーブル」という。）を用いて接続される。ＲＳ−２３２Ｃケーブルは、表示装置に備えられる信号入力用のケーブル接続コネクタ（以下では「入力コネクタ」という。）か、信号出力用のケーブル接続コネクタ（以下では「出力コネクタ」という。）に接続される。直列接続の場合、ＲＳ−２３２Ｃケーブルの一方が、上流側の表示装置の出力コネクタに接続され、他方が下流側の表示装置の入力コネクタに接続される。
【００３９】
上流側の表示装置に入力された命令情報は、その命令情報を示す電気信号として、上流側の表示装置の出力コネクタから出力され、ＲＳ−２３２Ｃケーブルを介して下流側の表示装置の入力コネクタに入力される。
【００４０】
図１は、表示システム１の構成を示す概略図である。
表示システム１は、複数の表示装置２，３，４，５、ＲＳ−２３２Ｃケーブル６およびリモートコントローラ２０を含んで構成される。複数の表示装置２，３，４，５は、ＲＳ−２３２Ｃケーブル６を介して直列的に接続されている。表示装置２が、最上流に配置される表示装置であり、下流に向かって順に表示装置３、表示装置４、表示装置５が接続されている。
【００４１】
リモートコントローラ２０は、表示システム１を構成する全ての表示装置に対して、赤外線通信などの無線通信により、命令情報を含む各種制御情報を入力することができる。
最上流の表示装置２の入力コネクタには、ケーブル６が接続されておらず、出力コネクタには、ＲＳ−２３２Ｃケーブル６が接続されている。表示装置２の出力コネクタに接続されたケーブル６は、表示装置２より１つ下流側の表示装置３の入力コネクタに接続されている。表示装置３の出力コネクタに接続されたケーブル６は、表示装置３より１つ下流側の表示装置４の入力コネクタに接続されている。表示装置４の出力コネクタに接続されたケーブル６は、表示装置４より１つ下流側の表示装置５の入力コネクタに接続されている。
【００４２】
表示装置２，３，４，５は、いずれも入力コネクタにケーブル６が接続されているか否かが検出可能に構成される。入力コネクタの検出結果に基づいて、入力コネクタにケーブル６が接続されていない場合は、自装置よりも上流側に表示装置が接続されていないので、自装置が直列接続において最も上流側に接続されていることを認識する。入力コネクタの検出結果に基づいて、入力コネクタにケーブルが接続されている場合は、自装置よりも上流側に表示装置が接続されているので、自装置が直列接続において下流側に接続されていることを認識する。
【００４３】
図２は、表示装置２の構成を示すブロック図である。表示装置２，３，４，５は全て同じ仕様の表示装置であり、構成は同じであるので、図２には、表示装置２の構成を一例として示している。
【００４４】
表示装置２は、表示器７、受光部８、映像信号入力コネクタ９、入力コネクタ１０、入力用ＲＳ−２３２Ｃインターフェイス１１、出力コネクタ１２、出力用ＲＳ−２３２Ｃインターフェイス１３、第１メモリ１４、第２メモリ１５および制御部１６を含んで構成される。
【００４５】
表示器７は、液晶表示パネル、プラズマ表示パネル、有機ＥＬ表示パネルなど画像データを表示する表示パネルである。受光部８は、リモートコントローラ２０から出力される赤外線などの無線通信用電波を受光する。映像信号入力コネクタ９は、表示器７に表示させる画像データを入力するために、映像信号ケーブルと接続する。入力コネクタ１０は、ＲＳ−２３２Ｃケーブル６が接続するコネクタである。入力用ＲＳ−２３２Ｃインターフェイス１１（以下では「入力インターフェイス」という。）は、入力コネクタ１０に接続されたケーブル６から入力される電気信号に基づいて、入力された情報を制御部１６へと出力する。出力コネクタ１２は、ＲＳ−２３２Ｃケーブル６が接続するコネクタである。出力用ＲＳ−２３２Ｃインターフェイス１３（以下では「出力インターフェイス」という。）は、制御部１６から出力される情報に基づいて、出力コネクタ１２に接続されたケーブル６に電気信号を出力する。
【００４６】
第１メモリ１４は、ＯＳＤ（On Screen Display）情報、ケーブル接続情報など各種情報を一時的に記憶する。第２メモリ１５は、画像データを表示するための表示制御プログラム、直列接続されたときの接続制御プログラムなど各種動作制御プログラムが記憶される。
【００４７】
制御部１６は、表示制御回路およびＯＳＤ回路などが集積され、第２メモリ１５に記憶されている動作制御プログラムに基づいて表示装置全体の動作を制御する。
【００４８】
図３は、入力コネクタ１０および出力コネクタ１２の端子構成を示す図である。
本実施形態では、入力コネクタ１０および出力コネクタ１２として、ＲＳ−２３２Ｃ規格に準拠したＤ−subminiature９ピンコネクタを用いている。入力コネクタ１０は、ピンＡ１〜Ａ９を有し、出力コネクタ１２は、ピンＢ１〜Ｂ９を有する。これらのピンのうち使用されていない、いわゆる空き端子であるピンＡ９およびピンＢ９（Ring端子）を用いて、入力コネクタ１０にケーブル６が接続されているか否かを検出する。
【００４９】
出力コネクタ１２のピンＢ９は、ダイオードＤを介して５Ｖ電源に接続される。入力コネクタ１０のピンＡ９は、検出用配線１７を介して制御部１６に接続される。検出用配線１７は、プルダウン抵抗Ｒを介して接地される。
【００５０】
制御部１６は、検出用配線１７の電圧レベルに基づいて、ケーブル６を介して入力コネクタ１０に下流側の表示装置が接続されていることを検出する。
【００５１】
表示装置２では、入力コネクタ１０にケーブル６が接続されていない無接続の状態であるので、検出用配線１７の電圧レベルは、プルダウン抵抗ＲによってLowレベル（０Ｖ）となる。表示装置３では、入力コネクタ１０にケーブル６が接続され、入力コネクタ１０に接続されたケーブル６は、上流側の表示装置２の出力コネクタ１２に接続される。したがって、表示装置２の出力コネクタ１２のピンＢ９と表示装置３の入力コネクタ１０のピンＡ９とがケーブル６を介して接続され、表示装置３における検出用配線１７の電圧レベルは、Highレベル（５Ｖ）となる。
【００５２】
制御部１６は、検出用配線１７の電圧レベルに基づいて、Lowレベルであれば自装置が最上流の表示装置であることを検出し、Highレベルであればケーブル６を介して自装置が下流側に接続された表示装置であることを検出する。
【００５３】
検出用配線１７の電圧レベル、または検出用配線１７の電圧レベルに基づく検出結果は、ケーブル接続情報として、第１メモリ１４に記憶される。
【００５４】
表示装置２，３，４，５は、ケーブル接続情報に基づいて、リモートコントローラ２０からの命令情報の入力を無効とする。表示装置２，３，４，５は、直列接続されていない状態では、リモートコントローラ２０からの命令情報の入力は可能に構成される必要があり、直列接続された状態では、最上流の表示装置２のみがリモートコントローラ２０からの命令情報の入力を可能とし、下流側の表示装置３，４，５は、リモートコントローラ２０からの命令情報の入力を無効とする。表示装置２は、ケーブル接続情報に基づいて自装置が最上流にあることを認識するので、リモートコントローラ２０からの入力を可能とすることができる。表示装置３，４，５は、ケーブル接続情報に基づいて自装置が下流側にあることを認識するので、リモートコントローラ２０からの入力を無効とすることができる。
【００５５】
表示装置２に対してリモートコントローラ２０から命令情報を入力する際に、表示装置３，４，５の少なくともいずれかがリモートコントローラ２０から出力される無線通信用電波の到達範囲内に位置していたとしても、表示装置３，４，５は、リモートコントローラ２０からの入力が無効となっているので、リモートコントローラ２０から命令情報は入力されない。最上流の表示装置２のみにリモートコントローラ２０から命令情報を入力することができる。
【００５６】
これにより、表示システム１を構成する複数の表示装置２，３，４，５のうち、最上流に接続された表示装置２のみにリモートコントローラ２０から命令情報を入力することができる。
【００５７】
また、表示装置３，４，５に対して命令情報を入力したい場合は、一旦表示装置２に命令情報を入力し、入力対象となる表示装置３，４，５のいずれか１つの表示装置にまで、ケーブル６を介して命令情報を転送すればよい。
【００５８】
図４は、リモートコントローラ２０の外観図である。リモートコントローラ２０は、既存のものと同様の構成を有している。電源のオン、オフに関する命令情報を入力するための電源キー２１、画質調整などＯＳＤに基づく設定を行うためのメニューキー２２、数値および項目の変更を行うためのカーソルキー２３などの各種キーを備え、これらのキーが押下されると、押下されたキーに応じた命令情報に基づく赤外線が出射される。
【００５９】
図５は、リモートコントローラ２０からの入力を無効とするための回路構成を示す図である。受光部８からの出力は、直接制御部１６に入力されずに判断回路８ａに入力される。また、判断回路８ａには、ケーブル接続情報に基づくIR_EN信号が入力される。ケーブル６が接続されていない場合はIR_EN=0が入力され、接続されている場合はIR_EN=1が入力される。判断回路８ａは、IR_EN=0が入力されると、受光部８からの出力信号を制御部１６に出力し、IR_EN=1が入力されると、受光部８からの出力信号を制御部１６に出力しない。
【００６０】
図６は、リモートコントローラ２０からの入力を無効とするための判断処理を示すフローチャートである。
【００６１】
ステップＡ１では、ケーブル接続情報を示すCable_ck値を第１メモリ１４に記憶する。ステップＡ２では、Cable_ck値が１であるか０であるかを判断する。Cable_ck値が０であれば、ケーブル６が接続されていないとして、ステップＡ３に進み、IR_EN=0を出力して受光部８からの信号を有効とし、ステップＡ４で最上流の表示装置として動作する。Cable_ck値が１であれば、ケーブル６が接続されているとして、ステップＡ５に進み、IR_EN=1を出力して受光部８からの信号を無効とし、ステップＡ６で下流側の表示装置として動作する。
【００６２】
以下では、ＯＳＤによる画質調整を行う場合の例を示す。
図７Ａ〜図７Ｃは、最上流の表示装置２の画質調整処理を示すフローチャートである。図８Ａ〜図８Ｃは、下流側の表示装置３，４，５の画質調整処理を示すフローチャートである。
【００６３】
まず、最上流の表示装置２の画質調整処理について説明する。ステップＳ１では、自装置を識別するためのディスプレイＩＤが設定済みであるかどうかを判断する。設定済みでなければステップＳ２でＩＤ＝０に設定し、設定済みであればステップＳ３に進み、ディスプレイＩＤを＋１する。ステップＳ４では、ディスプレイＩＤを振り分けするためのコマンドを下流側の表示装置に対して発行する。ステップＳ５では、下流側の表示装置からリターン信号を受信するまで待機する。リターン信号を受信すると、ステップＳ６で下流側の表示装置から受信したディスプレイＩＤの情報を第１メモリ１４に記憶する。ステップＳ７でリモートコントローラ２０のメニューキー２２が押下されたことを検出すると、ステップＳ８では、画質調整のために表示器７にＯＳＤ表示を行う。ステップＳ９では、下流側の表示装置に対してＯＳＤを表示するための表示コマンドを発行する。ステップＳ１０では、下流側の表示装置からリターン信号を受信するまで待機する。
【００６４】
ここで、リモートコントローラ２０の操作によって画質調整の対象となる表示装置が選択される。対象となる表示装置は、表示装置２，３，４，５のいずれを選択することもできる。表示装置の選択は、ＯＳＤ処理によって行われ、たとえば、ディスプレイＩＤを入力することで選択することができる。
【００６５】
ステップＳ１１では、選択されたディスプレイＩＤを設定し、ステップＳ１２で自装置のディスプレイＩＤが設定されたかどうかを判断する。自装置のディスプレイＩＤであれば、ステップＳ１５に進み、自装置のディスプレイＩＤでなければステップＳ１３に進む。ステップＳ１３では、設定されたディスプレイＩＤを指定してＯＳＤ情報を取得するためのコマンドを下流側の表示装置に発行する。ステップＳ１４では、下流側の表示装置からリターン信号を受信するまで待機する。
【００６６】
ステップＳ１５では、設定したディスプレイＩＤと、ＯＳＤ情報とを第１メモリ１４に格納し、ステップＳ１６では、格納したＯＳＤ情報を表示器７に表示してカーソルを次の項目へと移す。ステップＳ１７では、リモートコントローラ２０からの命令情報に基づいて、ＯＳＤ情報のパラメータ変更情報が入力される。ステップＳ１８では、パラメータを変更したＯＳＤ情報を第１メモリ１４に更新する。ステップＳ１９では、リモートコントローラ２０からディスプレイＩＤの指定変更が入力されたかどうかを判断し、変更されればステップＳ２０に進み、変更されなければステップＳ２４に進む。ステップＳ２０では、変更されたディスプレイＩＤを付加し、ステップＳ２１に進む。ステップＳ２１では、ディスプレイＩＤが自装置のディスプレイＩＤであるかどうかを判断し、自装置のディスプレイＩＤであれば、ステップＳ２７に進む。自装置のディスプレイＩＤでなければステップＳ２２に進み、ディスプレイＩＤを付加してパラメータを変更するためのコマンドを下流側の表示装置へ発行する。ステップＳ２３では、下流側の表示装置からリターン信号を受信するまで待機する。
【００６７】
ステップＳ２４では、ディスプレイＩＤを付加しないでステップＳ２５に進み、ステップＳ２５では、ディスプレイＩＤを付加せずにパラメータを変更するためのコマンドを下流側の表示装置へ発行する。ステップＳ２６では、下流側の表示装置からリターン信号を受信するまで待機する。ステップＳ２４、Ｓ２５での処理は、リモートコントローラ２０によって全ての表示装置を一括して画質調整する命令が入力された場合の処理であり、このような一括処理の場合は、調整対象の表示装置を示すディスプレイＩＤを付加せずにパラメータ変更コマンドのみを下流側へ発行する。
【００６８】
ステップＳ２７では、リモートコントローラ２０からの入力に基づいて画質調整を終了するかどうかを判断し、終了する場合はステップＳ２８に進み、終了しない場合は、ステップＳ１７に戻る。
【００６９】
ステップＳ２８では、リモートコントローラ２０のメニューキー２２が押下されるまで待機し、メニューキー２２が押下されるとステップＳ２９で表示器７のＯＳＤ情報を非表示にする。ステップＳ３０では、ＯＳＤを非表示とするためのコマンドを下流側の表示装置へ発行する。ステップＳ３１では、下流側の表示装置からリターン信号を受信するまで待機する。
【００７０】
次に下流側の表示装置３の画質調整処理について説明する。
ステップＳ４０では、表示装置２からディスプレイＩＤの振り分けコマンドを受信するまで待機し、受信するとステップＳ４１に進む。ステップＳ４１では、ディスプレイＩＤが設定済みであるかどうかを判断し、設定済みであればステップＳ４３に進み、設定済みでなければステップＳ４２でディスプレイＩＤを設定する。ステップＳ４３では、ディスプレイＩＤを＋１する。ステップＳ４４では、ディスプレイＩＤを振り分けるためのコマンドをさらに下流側の表示装置へ発行する。ステップＳ４５では、下流側の表示装置からリターン信号を受信するか、リターン信号を受信しないまま所定の時間が経過するまで待機する。下流側の表示装置が接続されていない場合は、リターン信号を受信できないので、所定時間経過するとタイムアウトとして処理を進める。ステップＳ４６では、設定したディスプレイＩＤを付加してリターン信号を上流側の表示装置へと発行する。
【００７１】
ステップＳ４７では、上流側の表示装置からＯＳＤ表示のためのコマンドを受信するまで待機し、受信するとステップＳ４８で、表示器７に自装置のディスプレイＩＤを表示する。ステップＳ５０では、下流側の表示装置からリターン信号を受信するか、リターン信号を受信しないまま所定の時間が経過するまで待機する。
【００７２】
本来の表示装置では、ＯＳＤ表示のためのコマンドが入力されるとＯＳＤ表示を行うが、下流側の表示装置では、ＯＳＤ表示自体は行わず、最上流の表示装置のみがＯＳＤ表示を行う。その代わりに、ＯＳＤ表示のコマンドを受信した下流側の表示装置は、画質調整を行うユーザが、対象となる表示装置のディスプレイＩＤを認識しやすいように、自装置のディスプレイＩＤを表示器７に表示する。このとき、ディスプレイＩＤの表示色はたとえば青色で表示する。
【００７３】
ステップＳ５１では、ＯＳＤ情報を取得するためのコマンドを上流側の表示装置から受信するまで待機し、受信するとステップＳ５２で、コマンドに付加されたディスプレイＩＤが自装置のディスプレイＩＤと一致するかどうかを判断する。一致すればステップＳ５３に進み、一致しなければステップＳ５５に進む。
【００７４】
自装置のディスプレイＩＤと一致した場合は、自装置が画質調整の対象となる表示装置であるので、対象であることを示すために、ステップＳ５３では、ディスプレイＩＤの表示色を青色から赤色に変更し、自装置のディスプレイＩＤと自装置のＯＳＤ情報とを付加してリターン信号を上流側の表示装置へと発行する。ステップＳ５４では、下流側の表示装置からリターン信号を受信するか、リターン信号を受信しないまま所定の時間が経過するまで待機する。
【００７５】
ステップＳ５５では、自装置が対象ではないので、受信したディスプレイＩＤとＯＳＤ情報取得のためのコマンドをさらに下流側の表示装置へと発行する。ステップＳ５６では、下流側の表示装置からリターン信号を受信するか、リターン信号を受信しないまま所定の時間が経過するまで待機する。
【００７６】
ステップＳ５７では、ＯＳＤ情報のパラメータを変更するためのコマンドを上流側の表示装置から受信するまで待機し、受信するとステップＳ５８に進む。ステップＳ５８では、変更コマンドにディスプレイＩＤが付加されているかどうかを判断し、付加されていればステップＳ５９に進み、付加されていなければステップＳ６４に進む。
【００７７】
ディスプレイＩＤが付加されている場合は、一括調整ではなく、調整対象の表示装置が指定されている。ディスプレイＩＤが付加されていない場合は、一括調整であり、全ての表示装置が調整の対象となる。
【００７８】
ステップＳ５９では、付加されているディスプレイＩＤが自装置のディスプレイＩＤと一致するかどうかを判断し、一致すればステップＳ６０に進み、一致しなければステップＳ６７に進む。ステップＳ６０では、第１メモリ１４に記憶されているＯＳＤ情報のパラメータを、受信した変更コマンドに応じて更新する。ステップＳ６１では、更新されたＯＳＤ情報に基づいて、画質調整を行う。ステップＳ６２では、画質調整した後、上流側の表示装置へリターン信号を発行する。ステップＳ６３では、下流側の表示装置からリターン信号を受信するか、リターン信号を受信しないまま所定の時間が経過するまで待機する。
【００７９】
ステップＳ６４では、第１メモリ１４に記憶されているＯＳＤ情報のパラメータを、受信した変更コマンドに応じて更新する。ステップＳ６５では、更新されたＯＳＤ情報に基づいて、画質調整を行う。ステップＳ６６では、画質調整した後、ディスプレイＩＤを付加せずに、パラメータを変更するためのコマンドをさらに下流側の表示装置へと発行する。ステップＳ６７では、受信したディスプレイＩＤを付加してパラメータを変更するためのコマンドをさらに下流側の表示装置へと発行する。ステップＳ６８では、下流側の表示装置からリターン信号を受信するか、リターン信号を受信しないまま所定の時間が経過するまで待機する。ステップＳ６９では、上流側の表示装置に対してリターン信号を発行してステップＳ６３に進む。
【００８０】
ステップＳ７０では、上流側の表示装置からＯＳＤを非表示とするためのコマンドを受信するまで待機し、受信するとステップＳ７１でＯＳＤを非表示、すなわち、表示していた自装置のディスプレイＩＤを非表示とする。ステップＳ７２では、ＯＳＤを非表示とするためのコマンドをさらに下流側の表示装置へと発行する。ステップＳ７３では、下流側の表示装置からリターン信号を受信するか、リターン信号を受信しないまま所定の時間が経過するまで待機する。
【符号の説明】
【００８１】
１  表示システム
２，３，４，５  表示装置
６  ＲＳ−２３２Ｃケーブル
７  表示器
８  受光部
９  映像信号入力コネクタ
１０  入力コネクタ
１１  入力用ＲＳ−２３２Ｃインターフェイス
１２  出力コネクタ  
１３  出力用ＲＳ−２３２Ｃインターフェイス
１４  第１メモリ
１５  第２メモリ
１６  制御部
【図１】
2011247917.tif 000003
【図２】
2011247917.tif 000004
【図３】
2011247917.tif 000005
【図４】
2011247917.tif 000006
【図５】
2011247917.tif 000007
【図６】
2011247917.tif 000008
【図７Ａ】
2011247917.tif 000009
【図７Ｂ】
2011247917.tif 000010
【図７Ｃ】
2011247917.tif 000011
【図８Ａ】
2011247917.tif 000012
【図８Ｂ】
2011247917.tif 000013
【図８Ｃ】
2011247917.tif 000014